(57)【要約】      （修正有）【課題】開扉時に発生する強い音を極力減退或いは解消すること。【解決手段】錠箱６内に、ラッチバネ３２及び反転ラッチ３０と、該反転ラッチ３０と係脱するように錠箱６に軸支されたラッチ施錠片６０とを設けた扉用錠前に於いて、前記錠箱６の外側の操作部材を手で操作したままの状態で扉４を開き始めると、反転ラッチ３０は、戸枠１側の金属製受け金具２の縁部３に当たってかつラッチバネ３２のバネ力に抗して後退動すると共に、反転ラッチ３０の後方に設けたラッチ作動杆３３も同時に後退動して該ラッチ作動杆３０が所定の位置まで後退すると、ラッチ作動杆３０に設けた係止カム３８がラッチ施錠片６０に係合してラッチ作動杆３０の復帰を阻止する。【選択図】図９
2006328882.tif 000002
【特許請求の範囲】
【請求項１】
錠箱内に、ラッチバネ及び反転ラッチと、該反転ラッチと係脱するように錠箱に軸支されたラッチ施錠片とを設けた扉用錠前に於いて、前記錠箱の外側の操作部材を手で操作したままの状態で扉を開き始めると、反転ラッチは、戸枠側の金属製受け金具の縁部に当たって、かつ、ラッチバネのバネ力に抗して後退動すると共に、反転ラッチの後方に設けたラッチ作動杆も同時に後退動して該ラッチ作動杆が所定の位置まで後退すると、ラッチ作動杆に設けた係止カムがラッチ施錠片に係合してラッチ作動杆の復帰を阻止し、前記操作部材から手を離すと、ラッチ施錠片がロック方向へ回転することにより、係止カムとラッチ施錠片との係合関係が解消して反転ラッチはラッチ作動杆を介して錠箱から完全に突出することを特徴とする扉用錠前。
【請求項２】
請求項１に於いて、係止カムは、ラッチ作動杆の後端部に所定の範囲内で回転することができるように軸支されていると共に、付勢バネにより、ラッチ施錠片に係合する方向に付勢されていることを特徴とする扉用錠前。
【請求項３】
請求項１に於いて、ラッチ作動片は、反転ラッチとラッチバネとの間に介在するバネ端支持壁を有し、開扉の際、反転ラッチに押されるラッチ作動片は、前記バネ端支持壁を介して、かつ、ラッチバネのバネ力に抗して所定量後退することを特徴とする扉用錠前。
【請求項４】
請求項１に於いて、錠前は、プシュ・プル錠であり、錠箱内には、操作ハンドルの操作力によりスライドする少なくとも一つの摺動体と、該摺動体と係合するように軸支された作動レバーと、該作動レバーと連係するように軸支されたラッチ施錠片とがそれぞれ配設されていることを特徴とする扉用錠前。
【発明の詳細な説明】
【技術分野】
【０００１】
本発明は、錠箱内に、反転ラッチと、該反転ラッチと係脱するように錠箱に軸支されたラッチ施錠片とを設けた扉用錠前に関する。
【背景技術】
【０００２】
反転ラッチの構成に関しては、特許文献１〜６に開示されている。これらの特許文献から明らかなように、反転ラッチは、開扉の際に、操作部材（例えば操作レバー）を操作（押し下げ）により、錠箱内へとそのままストレートに後退動するのではなく、（１）まず、操作部材を操作すると、錠箱内に軸支したラッチ施錠片が、例えばサムターン側のカム部材により直接的に、又は例えば操作部材側のラッチハブに連動する単数又は複数個の連動片を介して反転ラッチのロック状態が解消され、（２）次に、扉を開き始めると、ストライクの連続的な縁部に摺接しながら、かつ、ラッチバネのバネ力に抗して反転しながら後退する。
【０００３】
ところで、戸枠側の受け金具は、普通一般に金属製である。開扉の際、反転ラッチは、金属製ストライクの連続的な縁部（戸枠の垂直端面までの連設部分も含む）に摺接しながら勢い良く復帰するので、反転ラッチの摺接時ないし復帰時に「ストライク側で、ストライクの連続的な縁部、特に連設部分の端面に擦れ合い、瞬間的に強い擦り合い音（弾くようなバシャ或いはガシャというような音）」が発生する。
【０００４】
ここで、図１３を参照にして、従来技術の問題点を付言する。図１３は、開扉時における従来技術の問題点を示すフローチャート式概略説明図。この図１３に於いて、戸枠１、受け金具２、ストライクの連続的な縁部３、扉４、反転ラッチ３０等の用語の符号は、本発明の実施例の説明に用いたものを便宜上用いている。
【０００５】
さて、開扉時における反転ラッチ３０とストライクの縁部３とで発生する擦り合い音は、トロヨケが箱型形状であること、ストライクが開口を有する蓋体であること、そして、反転ラッチの衝止面が金属製ストライクの縁部３に常に摺接しながらストライクの縁部３から離れることから、受け金具２の凹所内で反響して増幅するという問題点があった。
【０００６】
すなわち、図１３の符号Ａは、施錠時の状態である。この時、反転ラッチ３０は、受け金具２の凹所内に突出している。また、反転ラッチ３０は、錠前に内装されたラッチ施錠片にロックされている。
【０００７】
符号Ｂは開扉ａの状態である。この開扉ａでは、操作部材（例えばプッシュ・プル錠のハンドル）を操作して扉４を開扉し始めた初期段階である。この時、反転ラッチ３０は、その衝止面３０ａがストライクの縁部３の内側縁（開口縁）に当たるので、反転しつつ引っ込む。この時、反転ラッチ３０は、図示しないラッチバネのバネ力に抗して、かつ、反転しながら錠箱内へと後退動する。
【０００８】
符号Ｃは開扉ｂの状態である。この開扉ｂでは、反転・後退した反転ラッチ３０の突出先端がストライクの連続的な縁部３の外壁面を摺接している状態を示している。
【０００９】
符号Ｄは開扉ｃの状態である。この開扉ｃでは、反転ラッチ３０の突出先端が、相変わらずストライクの連続的な縁部３の外壁面を摺接している状態を示している。したがって、開扉ａ〜開扉ｃでは、反転ラッチ３０とストライクは離れずに接していることが判る。また、反転ラッチ３０は、図示しないラッチバネのバネ力によって、反転状態でストライクを押し続けていることが判る。
【００１０】
符号Ｅは扉４をさらに開いた開扉ｄの状態である。この開扉ｄでは、反転ラッチ３０がストライクの連続的な縁部３の外側縁から離れ、その離れた瞬間に、反転ラッチ３０は、ラッチバネのバネ力によって、符号Ａの状態に戻る。その際、ストライクの外側縁と反転ラッチ３０が強く擦れ合い、或いは弾くように擦れ合い、前述した擦り合い音（弾くようなバシャ或いはガシャというような音）が発生する。
【００１１】
そこで、現在、反転ラッチと、該反転ラッチと係脱するように錠箱に軸支されたラッチ施錠片とを設けた扉用錠前に於いて、上記強い擦り合い音を極力減退或いは解消することができる新規な錠前の出現が要望されている。
【特許文献１】特公平２−５５５９１号
【特許文献２】特開平１１−１４１４０７号公報
【特許文献３】特許公開２００３−７４２４５号公報
【特許文献４】特許公開２００４−１６２３１１号公報
【特許文献５】特許公開２００４−２１１５２９号公報
【特許文献６】特許公開２００５−１２０７６９号公報
【発明の開示】
【発明が解決しようとする課題】
【００１２】
そこで、本発明の第１の目的は、錠箱内に、反転ラッチと、該反転ラッチと係脱するように錠箱に軸支されたラッチ施錠片とを設けた扉用錠前に於いて、開扉時に発生するバシャ或いはガシャというような強い擦り合い音を極力減退或いは解消することである。第２の目的は、簡単かつ合理的構成により、発明の主たる目的を達成することができることである。第３の目的は、操作部材を手で操作するプッシュ・プル錠に適合することである。
【課題を解決するための手段】
【００１３】
本発明の扉用錠前は、錠箱内に、ラッチバネ及び反転ラッチと、該反転ラッチと係脱するように錠箱に軸支されたラッチ施錠片とを設けた扉用錠前に於いて、前記錠箱の外側の操作部材を手で操作したままの状態で扉を開き始めると、反転ラッチは、戸枠側の金属製受け金具の縁部に当たって、かつ、ラッチバネのバネ力に抗して後退動すると共に、反転ラッチの後方に設けたラッチ作動杆も同時に後退動して該ラッチ作動杆が所定の位置まで後退すると、ラッチ作動杆に設けた係止カムがラッチ施錠片に係合してラッチ作動杆の復帰を阻止し、前記操作部材から手を離すと、ラッチ施錠片がロック方向へ回転することにより、係止カムとラッチ施錠片との係合関係が解消して反転ラッチはラッチ作動杆を介して錠箱から完全に突出することを特徴とする。
【００１４】
上記構成に於いて、係止カムは、ラッチ作動杆の後端部に所定の範囲内で回転することができるように軸支されていると共に、付勢バネにより、ラッチ施錠片に係合する方向に付勢されていることを特徴とする。
【発明の効果】
【００１５】
（１）開扉の際、ラッチ軸に相当するラッチ作動片３３が、そのバネ端支持壁３４ａを介して、かつ、ラッチバネ３２のバネ力に抗して所定量後退した時に、前記ラッチバネ３２のバネ力が反転ラッチ３０に作用しないように、ラッチ作動片３３に軸支した係止カム３８がラッチ作動片３３並びに反転ラッチ３０の復帰を阻止し得るように操作部材の操作力によって作動するラッチ施錠片６０（６０Ａ）に係合するので、操作部材から手を離さない限り、ラッチ作動片３３並びに反転ラッチ３０は、錠箱６から完全に突出（完全復帰）しない。
【００１６】
したがって、反転ラッチ３０がストライクの連続的な縁部３の外側縁から離れる瞬間に、ストライクの外側縁と反転ラッチが強く擦れ合い、或いは弾くように擦れ合うことがないので、従来技術で指摘したように、擦り合い音（弾くようなバシャ或いはガシャというような音）が発生しない。
【００１７】
（２）ラッチ作動片３３に、該ラッチ作動片３３の後退時にラッチ作動片３３に直接或いは間接的に係合する係止カム３８を設けるという構成（簡単かつ合理的構成）により、開扉時に発生するバシャ或いはガシャというような強い擦り合い音を極力減退或いは解消することができる。
【発明を実施するための最良の形態】
【００１８】
図１乃至図９を参照にして本発明の第１実施例を説明する。まず、環境部材について簡単に説明する。１は寝室、トイレ等の出入口の戸枠、２はトロヨケ及びストライクを有する金属製の受け金具、３は戸枠に固着具を介して固定された前記ストライクの縁部、４は水平方向に回動して出入口を開閉する扉（例えば室内扉）、５は室内の扉４の戸先に設けられた錠前、本実施例ではプッシュ・プル錠５である。
【００１９】
錠前５の錠箱６の上部側には、前板７に対して回動可能に設けられた回動ボタンを回動操作すると、プッシュ・プル錠におけるラッチ施錠片（ロッキングピース）の解除態様が、プッシュ・プル仕様又はプル仕様のいずれかに切り替わるラッチの係止解除機構Ｘが組み込まれている。
【００２０】
一方、錠箱６の下部側には、開扉の時に不注意により反転ラッチを施錠した状態で扉を閉めた時に反転ラッチの施錠状態が自動的に解錠状態となるサムターン錠の締め出し防止装置Ｙとが設けられている。締め出し防止装置Ｙの具体的構成は、本発明に関係がないので、割愛する。
【００２１】
次に図２を参照にして錠箱６の構成と主な部材を説明する。錠箱６は、ケース身６ａと、このケース身６ａの一側開口を閉鎖する矩形状のケース蓋６ｂとから成り、前記ケース身６ａは前板７を有する。ここで、「前板７」とは、長板状の取付け前板７ａ又は／及びフロント７ｂを意味する。取付け前板７ａとフロント７ｂとが別体の場合には、両者は図示しない固着具を介して合体する。
【００２２】
８は前板７の中央部に形成した開口窓９を基準としてケース身６ａに形成された、或いは設けられた隔壁状のラッチ枠部で、このラッチ枠部８は、図３で示すように、例えば端面コ字型状に形成されている。ここで図３を参照にしてラッチ枠部８を簡単に説明する。８ａは上壁、８ｂは下壁、８ｃは上下壁に交差する後壁である。
【００２３】
しかして、前記上壁８ａには反転ラッチの係止解除機構Ｘを構成する第１施錠片用の第１受入れ孔１０が形成され、一方、この第１受入れ孔１０に対向するように前記下壁８ｂには、サムターン錠の締め出し防止装置Ｙを構成する図示しない第２施錠片用の第２受入れ孔１１が形成されている。
【００２４】
前記第１・第２受入れ孔１０，１１は、本実施例では開口窓９側から前記後壁８ｃに向かって形成された水平長孔である。またラッチ枠部８の後壁８ｃの一側壁（ケース身の幅広側壁側の側壁）には、上下方向の一部（例えば中央部）にラッチ作動杆用の切欠部１２が形成されている。１４は前板７の上部側に形成された回動ボタン用の支持部（嵌合孔）である。
【００２５】
また、錠箱６の上部の中央部分には、錠箱内にラッチ施錠片６０と係合するように組み込まれる単数又は複数個の摺動部材を水平方向に案内するために、上下一対の水平案内部（例えば水平長孔、水平溝など）１６が形成されている。本実施例では、複数個の水平案内部１６が形成されている。
【００２６】
また、本発明の錠前５は、プッシュ・プル錠に適用しているので、錠箱６の上方隅角部には、操作ハンドルに連動する連動片（例えば押圧片）用の矩形状窓孔１７が形成されている。さらに、錠箱６には、ラッチ施錠片６０及び作動レバー５５を揺動（回動）させるための固定軸１８，１９が複数個配設されている。ここで、説明の便宜上、符号１８をラッチ施錠片用の第１固定軸、符号１９を作動レバー用の第２固定軸とする。加えて、錠箱６には前板７付近にバネ受け２０、取付け孔等が設けられている。
【００２７】
したがって、錠箱５には、開口窓７，回動ボタン用嵌合孔１４，摺動体を案内する水平案内部１６，内外の操作ハンドル側の押圧片用窓１７，各揺動部材用の複数個の固定軸１８，１９などが形成されていると共に、前記開口窓７に対して反転ラッチを案内するラッチ枠部８が設けられ、或いは形成されている。なお、本発明の構成に関係のない部分は省略してある。
【００２８】
次に錠箱に組み込まれる主な部材について説明する。３０はラッチ枠部８に設けられ、かつ、前板７のフロント板７ｂを基準に進退動する反転ラッチである。反転ラッチ３０は、公知のように金属製の受け金具２のストライクと係合する。特に、反転ラッチ３０は、扉４の開閉時、前述した金属製ストライクの縁部３に摺接しながら勢い良く復帰するので、反転ラッチの摺接時ないし復帰時に「ストライク側で強い擦り合い音」が発生する。
【００２９】
したがって、ここでの「（反転）ラッチ」は、発明の目的との関係で「反転ラッチ」と称されるものを意味し、該反転ラッチの一例は、図３に概略的に示してある。
【００３０】
ここで、図１及び図３を参照にして反転ラッチ３０の構成について説明する。３０ａはストライクの縁部（開口縁、戸枠の縁など）３と摺接する垂直状態の衝止面である。３０ｂ，３０ｂは、反転ラッチ６の上下面からそれぞれ凸片状に突出する突起部で、これらの突起３０ｂ，３０ｂは反転ラッチの回転軸としての機能、後述するラッチ施錠片と係合する機能を有する。３０ｃ，３０ｃは反転ラッチの後端部で、この後端部３０ｃ，３０ｃにはラッチバネ３２の一端部３２ａを支持するバネ端収納部３１が形成されている。
【００３１】
３２はラッチ軸に相当するラッチ作動杆３３の端面Ｌ型状先端部３４に一端部３２ａが圧接し、一方、その他端部３２ｂがラッチ枠部８の後壁８ｃ内面に圧接するラッチバネである。本実施例では、図１で示すように、このラッチバネ３２の一端部３２ａが、ラッチ作動杆３３の先端部３４ａの内面に圧接する。したがって、ラッチバネ３２は、ラッチ作動杆３３の先端部３４ａを介して反転ラッチ３０のバネ端収納部３１に組み込まれ、反転ラッチ３０を常時突出方向に付勢する。
【００３２】
次に、図３及び図４を参照にしてラッチ作動杆（単に「作動杆」という）３３について説明する。３４は作動杆のＬ型状先端部で、この先端部３４は、反転ラッチ３０のバネ端収納部３１の内壁面に直接又は間接的に組み込まれ、かつ、ラッチバネ３２のバネ力により該内壁面に圧接する。
【００３３】
ところで、作動杆３３の形態に関しては、棒状、板片状等任意に設計変更可能であるが、本実施例では、ラッチバネ３２の一端部３２ａを受けるバネ端支持壁３４ａを有する先端部３４と、前記支持壁３４ａと交差する先端部一側壁３４ｂに段差状に連設し、かつ、前述したラッチ枠部８の切欠部１２に案内される摺動壁３５と、この摺動壁３５に連設する一部切欠状の後端部３６とから成る。
【００３４】
しかして、前記バネ端支持壁３４ａの内壁面と後端部の前壁面との間には、反転ラッチ３０とラッチ支持枠部８の位置を考慮してラッチバネ３２を組み込むことができる所要のバネ収納空間が設けられている。
【００３５】
また前記一部切欠状の後端部３６の一側壁には、バネ支持機能、ストッパー機能等を有する断面Ｌ型状の段差状部分３６ａが形成されている。
【００３６】
そして、本実施例では、前記一部切欠状の後端部３６に横軸３７を介して指先形状の係止カム３８が設けられている。係止カム３８は、図面上、上方の突起部分３８ａがラッチ施錠片の後端下部に係脱可能である。また、係止カム３８は、前記横軸３７に巻装された付勢バネ３９のバネ力により、常時、ラッチ施錠片の後端下部に係合する方向に付勢されている。
【００３７】
ところで、係止カム３８の内面側には、前記付勢バネ３９装着用の溝が形成されている。また、付勢バネ３９の一端部３９ａは、段差状部分３６ａの上面に支持され、一方、他端部３９ｂは、係止カム３８の溝形成面に支持されている。さらに、係止カム３８の幅広下端部３８ｂは、段差状部分３６ａの縁部に支持されている。したがって、係止カム３８は、所定範囲内（係脱可能範囲内）で回動可能である。
【００３８】
次に、ラッチの係止解除機構Ｘを構成する部材について説明する。４０は前板７に対して回動可能に設けられた回動ボタンで、この回動ボタン４０を略９０度回すと、本実施例ではプッシュ・プル錠におけるラッチ施錠片の解除態様が、プッシュ・プル仕様又はプル仕様のいずれかに切り替わる。図１及び図６を参照にして回動ボタン４０を説明する。
【００３９】
４１は周胴部で、この周胴部４１は錠箱６の取付け前板７ａの内壁面側に位置する。４２は周胴部４１の外周壁面に半径方向に突設された１又は２以上のストッパー部で、このストッパー部４２は、回動ボタン４０の回転位置如何によって後述する第２摺動体の前進を規制する機能を果す。
【００４０】
４３は周胴部４１の前面に突設された嵌合突起で、この嵌合突起４３は前板７の嵌合孔１４に嵌合する。嵌合突起４３の前面は、フロント７ｂの前面と面一であり、図示しない小ドライバー用の溝４３ａを有する。
【００４１】
４４は嵌合突起４３と周胴部４１との間に連設形成された角型或いは矩形板状のバネ支持部である。４５は回動ボタン４０に対して設けられたクリックバネで、このクリックバネ４５の左右の棒状当接部４５ａ，４５ａは、前記バネ支持部４４の外周面にそれぞれ圧接する。
【００４２】
次に、４６．４７は錠箱５の上方の収納空間に水平状態に配設されたプッシュ・プル用摺動体である。ここでは外枠の摺動体を第１摺動体４６、一方、外枠の摺動体内に組み込まれた枠状の摺動体を第２摺動体４７とする。また、外側の操作ハンドルに連動する部材を上方の押圧片４８とし、一方、内側の操作ハンドルに連動する部材を下方の押圧片４９とする。
【００４３】
そこで、図１、図５及び図７を参照に外枠の第１摺動体４６と内側の第２摺動体４７とを説明する。まず外枠の第１摺動体４６は、複数個の係合突起を介して錠箱６の上方水平案内部１６に水平動自在に設けられている。
【００４４】
しかして、４６ａは上壁部、４６ｂは下壁部、４６ｃは上下壁部と直交する後壁部、４６ｄは後壁部に対して所要の空間を有して対向する前壁部である。
前記後壁部４６ｃの内壁面は、図示しない操作部材に連動する上下の押圧片４８，４９を受ける受け板の機能を有する。また前記下壁部４６ｂの一部には揺動レバー用の切欠部５１が形成されている。
【００４５】
次に、内側の第２摺動体４７は、横長のコ時型形状に形成され、回動ボタン４０及び上下の押圧片４８，４９にそれぞれ関連付けられて外枠第１摺動体４６内に水平動自在に設けられている。
【００４６】
しかして、４７ａは内側の上壁部、４７ｂは内側の下壁部、４７ｃは上下壁部４７ａ，４７ｂと直交する内側の後壁部、４７ｄは後壁部と対抗するバネ受け用隔壁、４７ｅは回動ボタン４０のストッパー４２と関係する先端部である。
【００４７】
前記内側の上下壁４７ａ，４７ｂの先端部寄りの部位には、前述した前壁部４６ｄに対する逃し用切欠部が形成され、また前記内側の下壁４７ｂの一部には、揺動レバー用の切欠部５１と同様の内側切欠部５４が形成されている。
【００４８】
さらに、前記バネ受け用隔壁４７ｄは前述した摺動体用付勢バネ５２の他端（後端）部を受ける。したがって、摺動体用付勢バネ５２は、第１及び第２摺動体４６，４７内に組み込まれている。なお、第１摺動体４６の前壁部４６ｄには、符号を付さない逃し用切欠部が形成されている。
【００４９】
次に、揺動レバー５５と、該揺動レバー５５と連係するラッチ施錠片６０について説明する。揺動レバー５５は第２固定軸１９に軸支されている。一方、ラッチ施錠片６０は、第１固定軸１８に軸支されている。両部材５５，６０は、例えばラッチ施錠片６０の後端部６０ａに突設した係合部（例えば可動突起）６１と、揺動レバー５５の先端部５５ａに形成した被係合部（例えば係合長孔）５６を介して互いに連係されている。
【００５０】
さて、揺動レバー５５は、図５で示すように、例えば一枚の板材をチャンネル形状に形成し、その対向壁に第２固定軸用の軸孔５７を形成している。また対向壁の一方側を長板状に延設し、その先端部５５ａに被係合部（例えば係合長孔）５６を形成している。さらに、長板状の対向壁の上辺に立ち上がり状の第２係合アーム部５８を形成し、該第２係合アーム部５８は、図１で示すように、第１摺動体４６の切欠部５１を介して第２摺動体４７の切欠部５４内へと入り込んでいる。
【００５１】
一方、ラッチ施錠片６０の後端部６０ａには、前述した係合部（例えば可動突起）６１の他に、第１固定軸１８用の軸孔６２が形成されている。そして、この軸孔６２を基準にすると、該軸孔６２よりも下方部位には、作動片３３に軸支した係止カム３８と係合可能な突起状摺接部６３が設けられている。また、後端部６０ａには、作動レバー５５の第２係合アーム部５８と同様に、第１摺動体４６の切欠部５１内へと入り込む第１係合アーム部６５が設けられている。
【００５２】
さらに、当然のことながら、ラッチ施錠片６０の先端部６０ｂは、反転ラッチ３０の突起３０ｂと係脱するロック部分６４を有する。さらに、ラッチ施錠片６０は、第１固定軸１８に巻装されているバネ６６により、ラッチに係合する方向に常時付勢されている。
【００５３】
次に、図８及び図９を参照にして作用を説明する。まず、図８は図示しない操作部材を引く（又は押す）という操作しながら、若干扉を開き始めた所の作動態様を示す。この時、操作部材の操作力により、（ａ）例えば内側の第２摺動体４７は該押圧片４９を介して前板７側に移動し、（ｂ）また同時に、揺動レバー５５が第２固定軸１９を支点に反時計方向に回転し、（ｃ）また同時に、可動突起６１が下方へ移動し、（ｄ）また同時に、ラッチ施錠片６０は、第１固定軸１８を支点に時計方向に回転して反転ラッチ３０の突起３０ｂから離れる。この時、係止カム３８の突起部分３８は、ラッチ施錠片６０の後端部６０ａの下面に押圧され、付勢バネ３９のバネ力に抗して反時計方向へ多少回転する。
【００５４】
このように、（ａ）〜（ｄ）は、操作ハンドルを引く（又は押す）という操作に起因して各部材が同時に連動し、その結果、反転ラッチ３０に対するラッチ施錠片６０のロック状態が解消される。
【００５５】
それ故に、若干扉を開き始めると、（ｅ）反転ラッチ３０は、金属製のストライクの縁部３に押されることになるから、開扉量に対応してかつラッチバネ３２のバネ力に抗して反転しながら後退動する。（ｆ）反転ラッチ３０が後退すると、当然、作動片３３もバネ３２のバネ力に抗して後退する。この時、係止カム３８の係合部分３８ａは、ラッチ施錠片６０の後端部６０ａの摺接部６３の下壁面を押圧された状態で摺接する。つまり、係止カム３８は、作動片３３を介してラッチ施錠片６０の後端部６０ａの下壁面を摺接しながら、後退し始める。
【００５６】
次に、図９は引き続き図示しない操作部材を引く（又は押す）という操作しながら、扉を任意の位置まで開いた所の作動態様を示す。この時、操作部材から手を離さない限り、換言すれば、図示しない操作部材を引いている（又は押している）限り、ラッチ施錠片６０は反転ラッチ３０の突起３０ｂから離れて、いわば傾倒状態になっていることから、（ｇ）反転ラッチ３０と共に作動杆３３が所定の位置まで後退すると、係止カム３８が付勢バネ３９のバネ力により、時計方向に回転してラッチ施錠片６０の後端部に係合する。したがって、作動片３３は、図９で示すように、後退の状態で「一時停止（係止カム３８がラッチ施錠片６０のロック解消の状態を維持）」をする。
【００５７】
そして、特に図示しないが、操作部材から手を離すと、各部材が前述した（ａ）〜（ｄ）の反対の作動態様（第２摺動体４７は右側に移動、揺動レバー５５は時計方向に回転、可動突起６１は上方へ移動、ラッチ施錠片６０は反時計方向に回転等）になることから、ラッチ施錠片６０の後端部６０ａは係止カム３８から外れ、その結果、反転ラッチ３０は前進しながら回転する（図１参照）。この時、普通一般に開扉状態なので、反転ラッチ３０は受け金具２からある程度離れている。それ故に、音を減退させる効果（受け金具２内で音が反響するのを防ぐ効果）がある。
【実施例】
【００５８】
次に、この欄では、図１０乃至図１２に示す第２実施例を説明する。なお、この第２実施例の説明に当たって、前記第１実施例と同一又は同様（機能が同一）の部分には、同一又は同様の符号を付し、重複する説明を省略する。
【００５９】
この第２実施例が前記第１実施例と異なる点は、内枠状の第２摺動体４７と係合するように第２固定軸１９軸支された作動レバー５５Ａと、該作動レバー５５Ａと連係するように第１固定軸１８に軸支されたラッチ施錠片６０Ａとの組合せ関係である。この相違点は、例えば図１と図１０を対比すると明らである。すなわち、第１実施例では、ラッチ施錠片６０の後端部６０ａに突設した係合部（例えば可動突起）６１と、揺動レバー５５の先端部５５ａに形成した被係合部（例えば係合長孔）５６とは、互いに一体的に連結されているのに対して、第２実施例では、ラッチ施錠片６０Ａの後端部６０ａに揺動レバー５５Ａの先端部５５ａが乗っかっている。
【００６０】
上記のように付随的事項を設計変更しても、第１実施例と同一の目的を達成することができ、また、同一の作用・効果がある。
【００６１】
なお、本実施例では、前板７の手前から図示しないドライバーの先を回動ボタン４０の溝４３ａに差し込み、回動ボタン４０を回動操作すると、プッシュ・プル錠におけるラッチ施錠片６０の解除態様が、プッシュ・プル仕様又はプル仕様（又はプッシュ仕様）のいずれかに切り替わる。
【図面の簡単な説明】
【００６２】
図１乃至図９は、本発明の第１実施例を示す各説明図。図１０乃至図１２は、本発明の一部を設計変更した第２実施例を示す各説明図。
【図１】扉の閉戸時における錠前の内部構造を示す概略説明図。
【図２】ケース身を主とした錠箱の説明図。
【図３】ラッチ、ラッチ枠部、作動杆等の説明図。
【図４】作動杆、係止カム等の概略説明図。
【図５】第１・第２摺動体、作動レバー、ラッチ施錠片等の斜視図。
【図６】回動ボタン、クリックバネ等の説明図。
【図７】第１摺動体と第２摺動体との組合せ関係を示す説明図。
【図８】作用の説明図（操作部材を操作しながら、若干扉を開き始めた所の作動態様）。
【図９】図８に於いて、作動杆が所定の位置まで後退して、係止カムがロック解消のラッチ施錠片を係止した状態の説明図。
【図１０】第２実施例の概略説明図（図１と同様の概略説明図）。
【図１１】図８と同様の説明図。
【図１２】図９と同様の説明図。
【図１３】従来技術の問題点を示すフローチャート式概略説明図。
【符号の説明】
【００６３】
Ｘ…ラッチの係止解除機構、Ｙ…サムターン錠の締め出し防止機構、１…戸枠、２…受け金具、３…縁部、４…扉、５…錠前、６…錠箱、７…前板、８…ラッチ枠部、９…開口窓、１４…嵌合孔、１７…窓孔、１８，１９…固定軸、３０…反転ラッチ、３２…ラッチバネ、３３…作動杆、３６…後端部、３６ａ…段差状部分、３７…横軸、３８…係止カム、３９…付勢バネ、４０…回動ボタン、４６…第１摺動体、４７…第２摺動体、５５．５５Ａ…揺動レバー、５５ａ…揺動レバーの先端部、５６…被係合部、６０，６０Ａ…ラッチ施錠片、６０ａ…ラッチ施錠片の後端部、６１…係合部、６３…突起状摺接部、６６…バネ。
【図１】
2006328882.tif 000003
【図２】
2006328882.tif 000004
【図３】
2006328882.tif 000005
【図４】
2006328882.tif 000006
【図５】
2006328882.tif 000007
【図６】
2006328882.tif 000008
【図７】
2006328882.tif 000009
【図８】
2006328882.tif 000010
【図９】
2006328882.tif 000011
【図１０】
2006328882.tif 000012
【図１１】
2006328882.tif 000013
【図１２】
2006328882.tif 000014
【図１３】
2006328882.tif 000015